(57)【特許請求の範囲】
【請求項１】
クレーンに固定される照明装置であって、
複数の照明パネルを備え、
各照明パネル同士が連結及び分割可能であり、
連結される二つの照明パネルのうち、一方の照明パネルは、他方の照明パネルに向けて突出した突出部を備えるとともに、前記他方の照明パネルは、前記一方の照明パネルに向けて突出して、前記突出部を支持する支持部を備え、
前記支持部は、前記突出部を前記所定の連結位置に案内するガイド部を備え、
前記突出部と前記支持部とが所定の連結位置で連結されてなることを特徴とする照明装置。
【請求項２】
前記支持部は、前記突出部の側面を囲んだ筒状に形成されていることを特徴とする請求項１に記載の照明装置。
【請求項３】
前記照明パネルを前記クレーンに固定するための固定手段を備えることを特徴とする請求項１又は２に記載の照明装置。
【発明の詳細な説明】
【技術分野】
【０００１】
本発明は、屋外の照明設備として使用される照明装置に関する。
【背景技術】
【０００２】
従来、照明設備が備えられていない球技場等のスポーツ施設や、催しを開催する野外広場等において、必要に応じて短時間で容易に夜間照明などの照明装置を設置することを可能とする移動式照明灯装置が知られている。
例えば、特許文献１には、上部旋回体と下部走行体を備えた車両を具備する移動式照明灯装置が開示されている。この移動式照明灯装置では、上部旋回体の略中央位置に伸縮ブームが設けられ、伸縮ブームの先端に照明器が備えられている。
【先行技術文献】
【特許文献】
【０００３】
【特許文献１】特開平８−１６１９０３号公報
【発明の概要】
【発明が解決しようとする課題】
【０００４】
しかしながら、上記特許文献１の移動式照明灯装置は、照明器により一定の照明を供給する仕様であるため、使用場所や使用用途に応じた能力の照明を供給できないという問題があった。
【０００５】
本発明の課題は、使用場所や使用用途に応じた能力の照明を供給することのできる照明装置を提供することである。
【課題を解決するための手段】
【０００６】
上記課題を解決するために、
請求項１に記載の発明は、
クレーンに固定される照明装置であって、
複数の照明パネルを備え、
各照明パネル同士が連結及び分割可能であり、
連結される二つの照明パネルのうち、一方の照明パネルは、他方の照明パネルに向けて突出した突出部を備えるとともに、前記他方の照明パネルは、前記一方の照明パネルに向けて突出して、前記突出部を支持する支持部を備え、
前記支持部は、前記突出部を前記所定の連結位置に案内するガイド部を備え、
前記突出部と前記支持部とが所定の連結位置で連結されてなることを特徴とする。
【０００９】
また、請求項２に記載の発明は、請求項１に記載の照明装置において、
前記支持部は、前記突出部の側面を囲んだ筒状に形成されていることを特徴とする。
【００１０】
また、請求項３に記載の発明は、請求項１又は２に記載の照明装置において、
前記照明パネルを前記クレーンに固定するための固定手段を備えることを特徴とする。
【発明の効果】
【００１１】
本発明によれば、クレーンに固定される照明装置であって、複数の照明パネルを備え、各照明パネル同士が連結及び分割可能であり、連結される二つの照明パネルのうち、一方の照明パネルは、他方の照明パネルに向けて突出した突出部を備えるとともに、他方の照明パネルは、一方の照明パネルに向けて突出して、突出部を支持する支持部を備え、支持部は、突出部を所定の連結位置に案内するガイド部を備え、突出部と支持部とが所定の連結位置で連結されてなる。
このため、照明パネルの連結により、照度の調整を容易に行うことができるので、使用場所や使用用途に応じた能力の照明を供給することができる。
また、運搬時には、照明パネルごとに分割可能であり、例えば、小型のトラックなどでも運搬が可能であって、利便性が高い。
また、一方の照明パネルの突出部を、他方の照明パネルの支持部により支持することで２枚の照明パネルが連結されるので、連結作業を容易に行うことができる。
また、支持部がガイド部を備えるため、支持部と突出部との位置決めが容易となって、連結作業をより容易に行うことができる。
【図面の簡単な説明】
【００１２】
【図１】第１実施形態の照明装置をクレーンに設置した状態を示す正面図である。
【図２】図１のクレーンに設置した状態の照明装置の側面図である。
【図３】図１の照明装置の正面図である。
【図４】照明パネルを連結するための突出部と支持部を示す拡大斜視図である。
【図５】図４の突出部と支持部の側面図である。
【図６】図４の突出部と支持部の正面図である。
【図７】第２実施形態の照明装置をクレーンに設置した状態を示す側面図である。
【図８】図７の照明装置の正面図である。
【図９】図７の照明装置の側面図である。
【図１０】図７の照明装置の上面図である。
【図１１】照明装置の突出部と支持部の他の態様を説明するための図である。
【図１２】照明装置の突出部と支持部の他の態様を説明するための図である。
【発明を実施するための形態】
【００１３】
以下、本発明の実施形態について図面を参照して説明する。ただし、発明の範囲は、図示例に限定されない。
【００１４】
［第１実施形態］
先ず、構成について説明する。
本実施形態の照明装置１０は、球技場等のスポーツ施設や、催しを開催する野外広場等において、例えば夜間照明として地面などを照らすのに利用される照明装置である。
【００１５】
この照明装置１０は、図１、２に示すように、クレーン１により吊り下げられた状態で固定されて使用される。
クレーン１は、車両部２に旋回台３が搭載され、旋回台３に伸縮ブーム４が装備されて構成されている。伸縮ブーム４の先端部には、ジブ取付部５や、ワイヤに接続されたメインフック、サブフック等を有するフック部６などが備えられている。なお、かかる構成は、クレーンとして一般的な構成であって、本発明を限定するものではない。即ち、クレーン１は、照明装置１０を吊り下げることが可能であれば、公知の如何なる種類のものであっても利用可能である。
【００１６】
照明装置１０は、図１〜図３に示すように、例えば、２つの照明パネル１１、１１を備えている。２つの照明パネル１１、１１は、着脱自在に連結可能であって、同一の構成を有するものである。
なお、照明装置１０に備えられる照明パネルの数はこれに限定されるものではなく、照明装置１０の設置場所の規模や、所望の照明能力に応じて適宜設定可能である。例えば、１個であっても良いし、３個以上を連結しても良い。
【００１７】
各照明パネル１１は、例えば、パイプ材等からなる左右方向に長尺な枠体１２を備えている。枠体１２の内部は、複数のフレーム１２ａによって繋がれており、フレーム１２ａの間に照明灯１３が設置されている。
照明灯１３は、例えば、真正面を向いた状態から下向きに４５°、また左右方向にそれぞれ３０°の範囲内で角度調整可能であり、これにより、地面に対する照射角度が調整できるようになっている。
【００１８】
また、各照明パネル１１の枠体１２の下面には、左右一対の突出部１４、１４が備えられ、各照明パネル１１の枠体１２の上面には、突出部１４、１４と同一の間隔で配置された左右一対の支持部１５、１５が備えられている。
突出部１４、１４と支持部１５、１５とは、照明パネル１１の枠体１２の下面及び上面において、互いに対向する位置に設けられている。これにより、２つの照明パネル１１、１１を連結する場合、上側の照明パネル１１の枠体１２の下面から突出した突出部１４、１４と、下側の照明パネル１１の枠体１２の上面から突出した支持部１５、１５とが、所定の連結位置で係合して、連結ピン１６（図６参照）により連結できるようになっている。
【００１９】
具体的に、突出部１４は、図４〜６に示すように、前側の辺が後側の辺よりも長く後側から前側に下方向に傾斜した側面視台形状の板状部材であって、その側面の略中央部に貫通孔１４１が形成されている。
また、支持部１５は、上面が開口し、その上面開口から内部に突出部１４を挿入可能な収納空間部１５ａを備えた筒状部材であって、支持部１５の側面の略中央部に貫通孔１５１が形成されている。
支持部１５は、突出部１４が挿入された際、当該突出部１４の側面を全体として囲むことのできる大きさを有し、その内部（収納空間部１５ａ）の下面は、突出部１４の先端形状と合致するように、前側が後側より深くなるよう傾斜した傾斜面１５２となっている。こうした傾斜面１５２を備えることで、突出部１４を支持部１５に挿入した際に、貫通孔１４１と貫通孔１５１とが重なるように突出部１４の位置決めが行われ、貫通孔１４１及び貫通孔１５１を貫通する連結ピン１６を、容易に差し込むことができることとなる。
【００２０】
また、支持部１５の上端部には、当該上端部から前方に突出し、前端部に近づくにつれて上面開口が幅広となるガイド部１５３が形成されている。
ガイド部１５３は、突出部１４を支持部１５の内部（収納空間部１５ａ）に案内するためのものであって、前端部から下方に収納空間部１５ａに向けて傾斜したガイド面１５３ａを備えている。こうしたガイド面１５３ａを備えることによって、２つの照明パネル１１、１１を連結する際に、突出部１４と支持部１５とに多少の位置ずれや傾きが発生しても、ガイド部１５３が幅広であるため、突出部１４の前側がガイド部１５３のガイド面１５３ａに沿って収納空間部１５ａ内に挿入しやすくなっている。
【００２１】
なお、ガイド部１５３は、支持部１５の上端部全周に亘って設けることとしても良い。即ち、支持部１５の上端部全周に亘って、下方に収納空間部１５ａに向けて傾斜したガイド面１５３ａを設けることとしても良い。この場合、支持部１５の上端部全周が広がるため、突出部１４の支持部１５への挿入をより行いやすくすることができる。
【００２２】
また、照明装置１０は、上記のような連結された照明パネル１１、１１をクレーン１に固定するための固定手段として、吊りブラケット１７、１７と、吊り用線状部材１９Ａと、振れ止めブラケット１８、１８と、を備えている。
【００２３】
具体的に、各照明パネル１１の上部には、吊りブラケット１７、１７が設けられ、吊りブラケット１７、１７には、吊り用線状部材１９Ａが固定されている。吊りブラケット１７、１７と、吊り用線状部材１９Ａとは、クレーン１のフック部６に照明パネル１１を吊り下げることを可能とする吊り下げ手段として機能している。
また、各照明パネル１１の下部には、振れ止めブラケット１８、１８が設けられている。振れ止めブラケット１８、１８は、吊り下げられた照明パネル１１の振れを防止することを可能とする振れ防止手段として機能している。
【００２４】
より具体的には、吊りブラケット１７、１７は、各照明パネル１１の枠体１２の上面であって、支持部１５、１５の内側において、左右が一対となるように設けられている。
この吊りブラケット１７、１７には、貫通孔１７１、１７１が設けられている。
そして、連結された照明パネル１１、１１のうち、上側の照明パネル１１の吊りブラケット１７、１７の貫通孔１７１、１７１に、吊り用線状部材１９Ａがシャックルで固定され、この吊り用線状部材１９Ａにより、照明装置１０は、クレーン１のフック部６に吊り下げられるようになっている。
【００２５】
また、振れ止めブラケット１８、１８は、各照明パネル１１の枠体１２の下面であって、突出部１４、１４の内側において、左右が一対となるように設けられている。
この振れ止めブラケット１８、１８には、貫通孔１８１、１８１が設けられている。
そして、連結された照明パネル１１、１１のうち、下側の照明パネル１１の振れ止めブラケット１８、１８の貫通孔１８１、１８１には、それぞれ、２本の振れ止め用線状部材１９Ｂの一端が通されて固定されている。
各振れ止めブラケット１８に固定された２本の振れ止め用線状部材１９Ｂは、クレーン１の四方に設置されたクレーンアウトリガーの敷き板などの固定板７のうち、左側の前後と、右側の前後とに、それぞれ固定される。これにより、吊り下げられた照明装置１０は、振れ止め用線状部材１９Ｂにより固定板７に固定されるので、振れが防止されるようになっている。
【００２６】
吊り用線状部材１９Ａ及び振れ止め用線状部材１９Ｂとしては、例えば、鋼線を編んだワイヤー、樹脂性のベルト、チェーンなどが用いられる。
【００２７】
なお、吊りブラケット１７、１７が備えられる位置は、照明パネル１１の上部であれば良く、例えば、照明パネル１１の枠体１２の上部前面などであっても良い。
同様に、振れ止めブラケット１８、１８が備えられる位置は、照明パネル１１の下部であれば良く、例えば、照明パネル１１の枠体１２の下部前面などであっても良い。
また、振れ止め用線状部材１９Ｂは、吊り下げられた照明パネル１１の振れを防止することが可能な数だけ設置すれば良く、各振れ止めブラケット１８にそれぞれ１本ずつ固定し、計２本とすることも可能であるし、各振れ止めブラケット１８にそれぞれ３本以上固定することとしても良い。
また、振れ止め用線状部材１９Ｂの下端部の固定場所として、クレーンアウトリガーの敷き板などの固定板７以外に、クレーンアウトリガーに直接固定してもよいし、クレーン１の車両部２などに固定してもよい。さらにクレーン１とは異なるものに固定してもよく、例えば、地面にアンカーを打設し、当該アンカーに固定してもよいし、適切な重さのウェイトをアンカー代わりにしてもよい。
【００２８】
このようにして、吊り下げ手段としての吊りブラケット１７、１７と、振れ防止手段としての振れ止めブラケット１８、１８とは、照明パネル１１をクレーン１に固定するための固定手段として機能している。
【００２９】
次に、照明装置１０の設置方法について説明する。
照明装置１０を設置する場合、先ず、照明装置１０の設置箇所に応じて照明パネル１１の数を決定し、必要に応じて照明パネル１１の連結を行う。照明パネル１１の数を増減することで、増灯・減灯が可能となる。
照明パネル１１の連結は、上側に位置する照明パネル１１の下面から突出した突出部１４、１４を、下側に位置する照明パネル１１の上面から突出した支持部１５、１５に挿入し、重なった貫通孔１４１と、１５１とに、連結ピン１６を挿通させることで行われる。このような連結ピン１６を用いた連結方法は、脱着性の観点から好ましい方法である。
このとき、各支持部１５の上面開口には、ガイド部１５３が設けられているため、突出部１４を支持部１５に容易に挿入することができる。また、支持部１５の内部には、突出部１４の先端形状に合致するよう傾斜した傾斜面１５２が形成されているため、貫通孔１４１と、１５１とを容易に重ねることができる。よって、照明パネル１１、１１の連結作業が行いやすい。
【００３０】
次に、上側の照明パネル１１の吊りブラケット１７、１７に吊り用線状部材１９Ａを固定し、下側の照明パネル１１の振れ止めブラケット１８、１８に振れ止め用線状部材１９Ｂを固定する。
次に、吊り用線状部材１９Ａにより照明装置１０をクレーン１のフック部６に吊り下げ、クレーン１の伸縮ブーム４を所要の位置まで伸ばした後、振れ止め用線状部材１９Ｂの下端を固定板７に固定して、照明装置１０を設置する。このとき、伸縮ブーム４のブーム角度を調整することで照明位置を変更することもできる。また、伸縮ブーム４の伸縮の程度により、吊り用線状部材１９Ａと振れ止め用線状部材１９に作用する張力を調整することができる。更に、振れ止め用線状部材１９Ｂの固定場所は適宜調整を行う。
このようにして、クレーン１に吊り下げられた照明装置１０は、固定された状態で設置される。
【００３１】
以上のように、本実施形態によれば、クレーン１に固定される照明装置１０であって、複数の照明パネル１１、１１を備え、各照明パネル１１同士が着脱自在に連結可能である。
このため、照明パネル１１、１１の連結により、照度の調整を容易に行うことができるので、使用場所や使用用途に応じた能力の照明を供給することができる。
また、運搬時には、照明パネル１１、１１ごとに分割可能であり、例えば、小型のトラックなどでも運搬が可能であって、利便性が高い。
【００３２】
また、本実施形態によれば、連結される２つの照明パネル１１、１１のうち、一方の照明パネル１１は、他方の照明パネル１１に向けて突出した突出部１４、１４を備えるとともに、他方の照明パネル１１は、一方の照明パネル１１に向けて突出して、突出部１４、１４を支持する支持部１５、１５を備え、突出部１４、１４と支持部１５、１５とが所定の連結位置で連結されてなる。
このため、一方の照明パネル１１の突出部１４、１４を、他方の照明パネル１１の支持部１５、１５により支持することで２枚の照明パネルが連結されるので、連結作業を容易に行うことができる。
【００３３】
また、本実施形態によれば、支持部１５、１５は、突出部１４、１４を所定の連結位置に案内するガイド部１５３を備える。
このため、支持部１５、１５と突出部１４、１４との位置決めが容易となって、連結作業をより容易に行うことができる。
【００３４】
また、本実施形態によれば、支持部１５、１５は、突出部１４、１４の側面を囲んだ筒状に形成されている。
このため、突出部１４、１４を支持部１５、１５に差し込むことで、支持部１５、１５が突出部１４、１４に支持されることとなり、連結作業をより容易に行うことができる。
【００３５】
また、本実施形態によれば、照明パネル１１、１１をクレーン１に固定するための固定手段として、吊りブラケット１７、１７と、振れ止めブラケット１８、１８と、を備えている。
このため、照明専用の特装車両を用いることなく、クレーン１を利用して、照明設備が備えられていない場所に、短時間で容易に照明を設置することができる。
また、この際に利用されるクレーン１は、メーカや種類を選ばず、公知のどのようなクレーン１でも設置可能であるので、照明装置１０の使用現場に合せたクレーン選定を行うことができ、設置の簡便性が高い。
また、照明装置１０は特装車両のない構成であるため、使用用途が限定されることがない。
また、照明装置１０の搬送のみでどの地域でも設置可能となり、特装車両のような走行許可が不要である。
また、設備投資費用が少なく、使用場所や使用用途も限定されないため、使用稼動率が高くなる。
【００３６】
なお、上記実施形態においては、照明装置１０をクレーン１に設置することとして説明したが、クレーン１の設置場所が無い場合には、照明装置１０は、例えば、ビル等の建物の壁面に吊り下げて使用したり、イベント会場等において立設した支柱に吊り下げて使用することも可能である。
【００３７】
また、上記実施形態においては、照明装置１０が１台のクレーン１で吊り下げられた構成を例示して説明したが、照明パネル１１を多数連結し大型の照明装置１０となった場合には、２台のクレーン１を用いて吊り下げることも可能である。
【００３８】
また、上記実施形態においては、吊り下げ手段として、吊りブラケット１７、１７と、吊り用線状部材１９Ａとを備えた構成を例示して説明したが、これ以外にも、吊り下げ手段として、例えば、クレーン１のフック部６に直接引っ掛けることの可能な穴部の形成された突起部を、枠体１２の上面に設けることとしても良い。
更に、この突起部を、例えば、鉄棒を屈曲させ、その両端部を回動自在に枠体１２に設けることで構成してもよい。突起部をこのように構成することで、突起部を使用しない場合、鉄棒を回動させて横にすることで、枠体１２からの突出長さを低減させることができる。
【００３９】
［第２実施形態］
次に、本発明の第２実施形態について、第１実施形態と異なる点を中心に説明する。
なお、第１実施形態と同様の構成については、同一の符号を付して、その説明を省略する。
【００４０】
先ず、構成について説明する。
本実施形態の照明装置２０は、図７に示すように、クレーン１のジブ取付部５に取り付けられて使用される。
ジブ取付部５は、クレーン１の吊り高さのアップや障害物を回避するために伸縮ブーム４をジブを取り付け延伸する際に、当該ジブを取り付けるのに使用される。ジブ取付部５は、クレーン１に既存の構成である。
本実施形態においても、クレーン１は、一般的な構成を備えたものであれば、公知の如何なる種類のものであっても利用可能である。
【００４１】
照明装置２０は、図８〜図１０に示すように、着脱自在に連結可能な、同一の構成を有する２つの照明パネル１１Ａ、１１Ａを備えている。
なお、照明装置２０においても、照明パネル１１Ａの数はこれに限定されるものではなく適宜設定可能である。
【００４２】
この照明装置２０は、図８に示すように、各照明パネル１１Ａの上部に上取付ブラケット２１、２１を、各照明パネル１１Ａの下部に下取付ブラケット２２、２２を、更に備えた構成である。
【００４３】
上取付ブラケット２１、２１は、各照明パネル１１Ａの枠体１２の上面中央部に左右一対として設けられている。
そして、連結された照明パネル１１Ａ、１１Ａのうち、上側の照明パネル１１Ａの上取付ブラケット２１、２１には、図９に示すように、上支持アーム２３、２３の一端が固定されるようになっている。
具体的には、上支持アーム２３、２３の一端は、左右の支持面部２３ａ、２３ａに二股に分かれていて、この左右の支持面部２３ａ、２３ａの間に、上取付ブラケット２１、２１が挿入される。そして、支持面部２３ａ、２３ａ及び上取付ブラケット２１、２１の貫通孔に連結ピン２６が貫通されて連結されている。
【００４４】
また、下取付ブラケット２２、２２は、各照明パネル１１Ａの枠体１２の下面中央部に左右一対として設けられている。
そして、連結された照明パネル１１Ａ、１１Ａのうち、下側の照明パネル１１Ａの下取付ブラケット２２、２２には、図９に示すように、下支持アーム２４、２４の一端が固定されるようになっている。
具体的には、下支持アーム２４、２４の一端は、左右の支持面部２４ａ、２４ａに二股に分かれていて、この左右の支持面部２４ａ、２４ａの間に、下取付ブラケット２２、２２が挿入される。そして、支持面部２４ａ、２４ａ及び下取付ブラケットの貫通孔に連結ピン２７が貫通されて連結されている。
【００４５】
上支持アーム２３、２３及び下支持アーム２４、２４の他端は、ジブ取付部５に固定される固定部２５に連結されている。
具体的には、固定部２５は、図９に示すように、ジブ取付部５の後部に位置する第１固定部２５１と、ジブ取付部５の前部に位置する第２固定部２５２と、を備えている。
第１固定部２５１及び第２固定部２５２は、下支持アーム２４の後端部及び中間部にそれぞれ連結される。
そして、下支持アーム２４の後端部には、上支持アーム２３が下支持アーム２４に対して回動可能に連結されている。上支持アーム２３の下支持アーム２４に対する角度は、照明パネル１１Ａの個数に応じて変更可能となっている。
【００４６】
なお、上取付ブラケット２１、２１が備えられる位置は、照明パネル１１Ａの上部であれば良く、例えば、照明パネル１１Ａの枠体１２の上部後面などであっても良い。
同様に、下取付ブラケット２２、２２が備えられる位置は、照明パネル１１Ａの下部であれば良く、例えば、照明パネル１１Ａの枠体１２の下部後面などであっても良い。
【００４７】
上記した構成により、上取付ブラケット２１、２１、下取付ブラケット２２、２２、上支持アーム２３、２３、下支持アーム２４、２４、及び固定部２５は、照明パネル１１Ａ、１１Ａをクレーン１に固定するための固定手段として機能している。
【００４８】
次に、照明装置２０の設置方法について説明する。
照明装置２０を設置する場合、先ず、照明装置２０の設置箇所に応じて照明パネル１１Ａの数を決定し、必要に応じて照明パネルの連結を行う。連結方法は、第１実施形態の照明パネル１１と同様である。
次に、上側の照明パネル１１Ａの上取付ブラケット２１、２１に上支持アーム２３、２３を固定し、下側の照明パネル１１Ａの下取付ブラケット２２、２２に下支持アーム２４、２４を固定する。
次に、上支持アーム２３、２３及び下支持アーム２４、２４を固定部２５に固定し、クレーン１の伸縮ブーム４を所要の位置まで伸ばして、照明装置２０を設置する。このとき、伸縮ブーム４のブーム角度を調整することで照明位置を変更することもできる。また、照明装置２０の設置後、旋回台３の旋回によって照明位置を変更することもできる。
このようにして、クレーン１のジブ取付部５に取り付けられた照明装置２０の設置がなされる。
【００４９】
以上のように、本実施形態によれば、上記第１実施形態と同様の効果が得られるのは勿論のこと、照明装置２０は、上取付ブラケット２１、２１、下取付ブラケット２２、２２、上支持アーム２３、２３、下支持アーム２４、２４、及び固定部２５を備え、これらを介して照明パネル１１Ａ、１１Ａをクレーン１に固定するようになっている。
このため、照明装置２０の設置後、旋回台３の旋回によって照明位置を変更することができるため、照明条件の自由度が高い。
【００５０】
なお、上記第２実施形態においては、照明パネル１１Ａは、第１実施形態の固定方法と第２実施形態の固定方法の何れも採用可能な構成であるが、無論、吊りブラケット１７、１７及び振れ止めブラケット１８、１８を備えない構成としても良い。
【００５１】
また、上記第１および第２実施形態においては、突出部１４及び支持部１５として、台形状の板状部材及び筒状部材の組み合わせを例示して説明したが、突出部及び支持部の構成は、照明パネルを連結できるものであれば、これに限定されない。
【００５２】
例えば、図１１（ａ）（ｂ）に示すように、突出部１４Ａ及び支持部１５Ａを、両者同一な側面視四角形状の板体により構成しても良い。この場合、突出部１４Ａ及び支持部１５Ａの略中央部には、貫通孔１４１Ａ及び１５１Ａが設けられ、連結ピン１６によって、突出部１４Ａと支持部１５Ａとが連結される。
また、支持部１５Ａを所定の間隔離して２枚設け、連結の際には、その２枚の支持部１５Ａの間に突出部１４Ａを挿入し、貫通孔１４１Ａ及び１５１Ａに連結ピン１６を差し込むこととしても良い。
【００５３】
また、図１２（ａ）（ｂ）に示すように、突出部１４Ｂとしてフックを備え、支持部１５Ｂとしてアームを備える構成としても良い。この場合、突出部１４Ｂであるフックを、支持部１５Ｂのアームに引っ掛けることで連結が行われる。なお、突出部１４Ｂを支持部１５Ｂに引っ掛けた後、その状態を維持するためのストッパーを設けることとしても良い。
【００５４】
また、図示は省略するが、突出部を側面視四角形状の板体により構成し、支持部を当該突出部の前後左右の位置規制を行うための４つの四角形状の板体により構成しても良い。
その際、前側に位置する板体に、前側から後側に向かって傾斜するガイド面を設けることによりガイド部を形成してもよい。
【符号の説明】
【００５５】
１  クレーン
２  車両部
３  旋回台
４  伸縮ブーム
５  ジブ取付部
６  フック部
７  固定板
１１、１１Ａ  照明パネル
１２  枠体
１２ａ  フレーム
１３  照明灯
１４  突出部
１４１  貫通孔
１５  支持部
１５ａ  収納空間部
１５１  貫通孔
１５２  傾斜面
１５３  ガイド部
１５３ａ  ガイド面
１６  連結ピン
１７  吊りブラケット（吊り下げ手段、固定手段）
１７１  貫通孔
１８  振れ止めブラケット（振れ防止手段、固定手段）
１８１  貫通孔
１９Ａ  吊り用線状部材（吊り下げ手段）
１９Ｂ  振れ止め用線状部材
２１  上取付ブラケット（固定手段）
２２  下取付ブラケット（固定手段）
２３  上支持アーム（固定手段）
２３ａ  支持面部
２４  下支持アーム（固定手段）
２４ａ  支持面部
２５  固定部（固定手段）
２５１  第１固定部
２５２  第２固定部
１０、２０  照明装置
【図１】
0005745908.tif 000002
【図２】
0005745908.tif 000003
【図３】
0005745908.tif 000004
【図４】
0005745908.tif 000005
【図５】
0005745908.tif 000006
【図６】
0005745908.tif 000007
【図７】
0005745908.tif 000008
【図８】
0005745908.tif 000009
【図９】
0005745908.tif 000010
【図１０】
0005745908.tif 000011
【図１１】
0005745908.tif 000012
【図１２】
0005745908.tif 000013